(57)【要約】
　【課題】　洗浄することなく長期間清潔に保つことができるペットハウスを提供する。　【解決手段】　段ボール５を用いて形成されるペットハウス１であって、段ボール５の内側面に炭素粉末を含む塗料８を塗布してある。
　【選択図】　図１
0003100076.tif 000002
【実用新案登録請求の範囲】
【請求項１】
　段ボールを用いて形成されるペットハウスであって、段ボールの内側面に炭素粉末を含む塗料を塗布してあることを特徴とするペットハウス。
【請求項２】
　炭素粉末は備長炭からなる粉末である請求項１に記載のペットハウス。
【請求項３】
　段ボールの外側面に設けた外装紙に印刷が施されており、この印刷にソイインクなどペットにとって有害でないインクを用いてある請求項１または２に記載のペットハウス。
【請求項４】
　段ボールの外側面に、建築物の写真を印刷してある請求項１〜３のいずれかに記載のペットハウス。
【考案の詳細な説明】
【技術分野】
【０００１】
　本考案は、例えば、犬や猫などのペットのための室内用のペットハウスに関する。
【背景技術】
【０００２】
　近年、室内で犬や猫などのペットを飼うに際して、ペットハウスを室内に配置する飼い主が増えてきており、そのようなペットハウスとして、例えば、合成樹脂からなり、建築物等の形状を模したものがある。
【０００３】
　ところで、室内でペットを飼っている場合、ペットおよび飼い主の健康を守るためには室内を清潔に保つことが望ましいと考えられている。
【考案の開示】
【考案が解決しようとする課題】
【０００４】
　しかし、室内に上記従来のペットハウスを配置した場合には、室内（床や壁など）の清掃だけでなく、室内に配置したペットハウスの洗浄もが必要となり、それだけ飼い主にかかる負担が大きくなり、ひいては室内が清潔に保たれず、ペットや飼い主が病気にかかりやすくなるおそれがあった。
【０００５】
　この考案は上述の事柄に留意してなされたもので、その目的は、洗浄することなく長期間清潔に保つことができるペットハウスを提供することである。
【課題を解決するための手段】
【０００６】
　上記目的を達成するために、本考案のペットハウスは、段ボールを用いて形成されるペットハウスであって、段ボールの内側面に炭素粉末を含む塗料を塗布してある（請求項１）。
【０００７】
　好ましくは、炭素粉末は備長炭からなる粉末である（請求項２）。
【０００８】
　さらに、段ボールの外側面に設けた外装紙に印刷が施されており、この印刷にソイインクなどペットにとって有害でないインクを用いてあることが好ましい（請求項３）。
【０００９】
　また、段ボールの外側面に、建築物の写真を印刷してもよい（請求項４）。
【考案の効果】
【００１０】
　上記の構成からなる本考案によれば、洗浄することなく長期間清潔に保つことができるペットハウスを提供することが可能となる。
【００１１】
　すなわち、請求項１に係る考案では、段ボールの内側面に塗布した塗料に含まれる炭素粉末が抗菌効果を発揮して、洗浄しなくても長期間清潔に保たれるペットハウスを得ることができる。
【００１２】
　また、炭素粉末は消臭効果を発揮するので、ペットハウスやその付近からの悪臭の発生を防止することができる。
【００１３】
　さらに、炭素粉末は調湿効果を有することから、ペットハウス内は適宜の湿度に保たれ、ペットにとって快適な環境となる。
【００１４】
　また、段ボールを用いて形成してあるので、安価な使い捨てタイプのペットハウスとして製造することができるとともに、ペットや飼い主などがペットハウスにぶつかるなどして怪我をすることがなく安全である。さらに、段ボールを用いて形成したペットハウスは非常に軽量であり、持ち運びが容易であるだけでなく、一般的なペットハウスとしての機能の他、ペットの遊具としての機能をも兼ね備えたものとなる。
【００１５】
　請求項２に係る考案では、炭素粉末として、優れた抗菌効果、消臭効果および調湿効果を有する備長炭からなる粉末を用いるので、洗浄しなくても長期間清潔に保たれるという効果、ペットハウスやその付近からの悪臭の発生を防止することができるという効果およびペットハウス内が適宜の湿度に保たれてペットにとって快適な環境となるという効果がより向上することとなる。
【００１６】
　請求項３に係る考案では、ペットにとって有害でないインクを用いて印刷するので、ペットがその一部を噛むなどして口内に含んでも健康を損なうことがなく安全なペットハウスが得られる。
【００１７】
　請求項４に係る考案では、建築物の写真の印刷は低コストで行えるので、安価に製造することができ、しかも、段ボールの外側面に建築物の写真を印刷することによって、外観が洗練され、ひいては豪華な印象を与えるペットハウスを提供することができる。
【考案を実施するための最良の形態】
【００１８】
　図１および図２は、この考案の一実施例を示す。
【００１９】
　この実施例のペットハウス１は、犬や猫などのペットのための室内用のペットハウスとして用いるのに適したものであり、図１に示すように、平面視ほぼ矩形状または正方形状の底壁部２と、この底壁部２の周縁部分から立設された側壁部３と、この側壁部３の上端部に取り付けられる屋根部４とを備えている。
【００２０】
　側壁部３は、前壁部分３ａ、後壁部分３ｂ、左壁部分３ｃおよび右壁部分３ｄからなる。前壁部分３ａには、ペットの出入口としての開口３ｅが設けられており、また、後壁部分３ｂ、左壁部分３ｃおよび右壁部分３ｄのそれぞれ適宜の位置には通風口３ｆが設けられている。
【００２１】
　屋根部４は、屋根部本体４ａと、この屋根部本体４ａに連設された煙突４ｂとからなる。屋根部本体４ａは、断面ほぼへの字形状をしている。なお、煙突４ｂは、一般的な煙突としての機能を発揮するものではなく、外観を煙突に模したものであり、その上方および下方は開放されていてもよいし閉塞されていてもよい。
【００２２】
　上記の構成からなるペットハウス１は、段ボール５を用いて形成されている。なお、この実施例の段ボール５は、図２（Ａ）および（Ｂ）に示すように、波形に成形した中しん５ａの両面にライナ５ｂ，５ｃをはったものである。
【００２３】
　詳しくは、屋根部本体４ａを構成する段ボール５は、図２（Ａ）に示すように、その外側面（ライナ５ｂの外側面）が外装紙６によって覆われ、この外装紙６の外面（上面）に建築物の写真が印刷７されている一方、その内側面（ライナ５ｃの外側面）に炭素粉末を含む塗料８が塗布されている。
【００２４】
　また、ペットハウス１における屋根部本体４ａ以外の部分を構成する段ボール５は、図２（Ｂ）に示すように、その外側面（ライナ５ｂの外側面）が外装紙６によって覆われ、この外装紙６の外面（上面）に建築物の写真が印刷７されている一方、その内側面（ライナ５ｃの外側面）がクラフトボール９によって覆われている。
【００２５】
　外装紙６は、例えば、コートボール紙よりなる。
【００２６】
　印刷７は、例えば、ソイインクなどペットにとって有害でないインクを用いて、オフセット印刷法により施されたものである。
【００２７】
　塗料８は、含有した炭素粉末によって得られる効果（消臭効果、抗菌効果や調湿効果など）が十分発揮されるように構成されている。なお、この実施例において、塗料８が含む炭素粉末は、上記の効果が特に優れているとされる備長炭からなる粉末である。
【００２８】
　クラフトボール９は、例えば、黒色となるように構成されている。
【００２９】
　上記の構成からなるペットハウス１は、側壁部３の適宜の箇所に通風口３ｆを設けてあることにより、風通しのよいものとなっている。
【００３０】
　また、炭素粉末を含む塗料８は比較的高価なものであるが、この塗料８をペットハウス１全体に塗布するのではなく、その一部（屋根部本体４ａを構成する段ボール５）のみに塗布してあるので、ペットハウス１を安価に製造することができ、しかも、塗料８に含まれる炭素粉末が有する効果は十分に発揮される。
【００３１】
　なお、この実施例は種々に変形することができる。例えば、塗料８を塗布する部分は、屋根部本体４ａを構成する段ボール５の内側面に限られず、例えば、底壁部２や側壁部３を構成する段ボール５の内側面であってもよい。
【００３２】
　また、塗料８が、屋根部本体４ａを構成する段ボール５の内側面だけでなく、ペットハウス１を構成する段ボール５の内側面全体に塗布されていてもよい。この場合には、炭素粉末（備長炭）によって得られる効果がより向上することとなる。また、この場合、クラフトボール９は不要となる。
【００３３】
　さらに、塗料８に含まれる炭素粉末は、備長炭に限られず、抗菌効果、消臭効果および調湿効果を有する他の白炭、活性炭などでもよい。
【図面の簡単な説明】
【００３４】
【図１】本考案の一実施例に係るペットハウスの構成を概略的に示す斜視図である。
【図２】（Ａ）は、屋根部本体の構成を概略的に示す縦断面図、（Ｂ）は、ペットハウスにおける屋根部本体以外の部分の構成を概略的に示す縦断面図である。
【符号の説明】
【００３５】
　　１　ペットハウス
　　５　段ボール
　　８　塗料
【図１】
0003100076.tif 000003
【図２】
0003100076.tif 000004